(57)【特許請求の範囲】
【請求項１】
扉に取り付けられる錠箱内に設けられたデッドボルトをフロント板から出没させるために、室内側のサムターン又は室外側のシリンダ錠で回動操作できるように錠箱に回動可能に支承させたカムを該デッドボルトに係合させて成る本締り錠において、前記カムの軸部とサムターン軸との間を結合状態又は非結合状態とするために、カムの軸部とサムターン軸との間に軸線方向にのみ可動のクラッチ片を装着し、クラッチ片は常態でカムの軸部とサムターン軸とが結合された状態となるように結合位置に向け付勢してあり、更に、前記クラッチ片を結合位置又は非結合位置を占めるようにするために、錠箱内に水平方向に移動可能で、山形をなす作動部をクラッチ片に係合させた作動部材を設け、扉に装着されたガラスを破壊することにより室内側のサムターンを不正に操作することを防止するため、その作動部材の一端は手指で直接又は間接的に操作することができるようにフロント板に設けた開口部分に臨ませると共に、他端側は前記作動部を介してクラッチ片に連係させたことを特徴とする本締り錠における防犯装置。
【発明の詳細な説明】
【０００１】
【発明の属する技術分野】
この発明は、本締り錠における防犯装置に関する。
【０００２】
【従来の技術】
扉に取り付けられる錠箱内に設けられたデッドボルトをフロント板から出没させるために、室内側のサムターン又は室外側のシリンダ錠で回動操作できるように錠箱に回動可能に支承させたカムを該デッドボルトに係合させて成る本締り錠は、従来より周知のものである。
【０００３】
このような錠においては、その錠が取り付けられた扉自体又はその近傍にガラス窓が設けられていると、施錠時窓ガラスが破られてそこから差し込んだ手でサムターンが回動操作され、不正解錠により扉が開放されてしまうことがある。
【０００４】
【発明が解決しようとする課題】
この発明に係る本締り錠における防犯装置は、前述のようなサムターンによる不正解錠を無くすために提案されたものである。
【０００５】
【課題を解決するための手段】
上記の目的を達成するため、この発明は、扉に取り付けられる錠箱内に設けられたデッドボルトをフロント板から出没させるために、室内側のサムターン又は室外側のシリンダ錠で回動操作できるように錠箱に回動可能に支承させたカムを該デッドボルトに係合させて成る本締り錠において、前記カムの軸部とサムターン軸との間を結合状態又は非結合状態とするために、カムの軸部とサムターン軸との間に軸線方向にのみ可動のクラッチ片を装着し、クラッチ片は常態でカムの軸部とサムターン軸とが結合された状態となるように結合位置に向け付勢してあり、更に、前記クラッチ片を結合位置又は非結合位置を占めるようにするために、錠箱内に水平方向に移動可能で、山形をなす作動部をクラッチ片に係合させた作動部材を設け、扉に装着されたガラスを破壊することにより室内側のサムターンを不正に操作することを防止するため、その作動部材の一端は手指で直接又は間接的に操作することができるようにフロント板に設けた開口部分に臨ませると共に、他端側は前記作動部を介してクラッチ片に連係させたことを特徴とする。
【０００６】
【発明の実施の形態】
以下、図面に示す実施例に基いてこの発明について説明する。
図１〜図４において、符号１は扉１０に取り付けられる錠箱、１１は錠箱１のフロント板、１２はその裏板、２は扉枠２０又は両開き扉における他の扉に取り付けられるストライク板、２１はデッドボルト３を係入させるためストライク板２に設けた係入孔をそれぞれ示す。
【０００７】
錠箱１内に設けられたデッドボルト３は、ストライク板１１の貫通孔１３や任意の案内手段３１等により水平方向に移動可能に案内され、収納位置と突出位置との間で変位される。
【０００８】
図示例の案内手段３１は、錠箱１に固定された支柱を兼ねるピンとデッドボルト３に設けられた長孔の組で成り、これらピンと長孔はデッドボルト３のストロークの両端におけるストッパとしての役割も果たす。
【０００９】
デッドボルト３の一側を構成する側板３２の後部には後記のカム４の腕片４２が係合される従動切欠３３が形成されている。
【００１０】
カム４は錠箱１の両側板に回動可能に支承され、カム４の胴部とも言うべき軸部４１から半径方向に延出させた一体の腕片４２がデッドボルト３の従動切欠３３に係合させてあり、カム４にはその軸線方向において扉１０の室内側のサムターン及び扉１０の室外側のシリンダ錠（いずれも図示しない）が連係させてある。
【００１１】
後述のように図示例のカム部分はカム本体４とそれに組み付けられたクラッチ片５とから成るが、それとは異なりカム部分が一体のものとされた本締り錠は従来周知のものである。
【００１２】
そして、室内側のサムターン又は室外側のシリンダ錠に差し込んだ鍵を回動操作することにより、そのカムを介してデッドボルトは錠箱のフロント板から出没させるようにしてあることも周知の通りである。
【００１３】
なお、図1（Ｂ）及び図３において、符号４５はカム４に一体に突設した三角形状の突部４４に当接させたカム用のクリック手段を示し、そのクリック手段４５は横断面がコ字状の揺動部片及びそれをカム４の突部４４に押圧させるためのねじりばねで構成されている。
【００１４】
本発明においては、図１〜図４に示すように、カム本体４の軸部４１とサムターン軸６との間を結合状態又は非結合状態とするために、カム４における軸部４１とサムターン軸６との間に回転方向には拘束され、軸線方向にのみ可動のクラッチ片５を装着する。
【００１５】
そして、クラッチ片５は、本発明の防犯装置が非作動状態である常態においてカム４の軸部４１とサムターン６とが結合された状態となるように圧縮コイルばね等の付勢手段７で結合位置に向け（図３で左方に向け）付勢してある。図示はしないが、付勢手段７として磁石形式のものを用いることもできる。
【００１６】
図示例におけるクラッチ片５は、その外形の横断面が例えばだるま形等の非円形に形成してあって、横断面が同形とされた、カム４の軸部４１における連係孔４３内に軸線方向について摺動可能に嵌め合わせてある。
【００１７】
図３において、カム４の連係孔４３の室外側（図で右側）には、図示しないシリンダ錠のテイルピースがある角度範囲（例えば９０°の範囲）を遊動できるようにして係合させてあり、連係孔４３の室内側（図で左側）にはクラッチ片５が嵌め込んである。
【００１８】
一方、クラッチ片５の半径方向の周面部には少くも１本（図示例では３本）の受動ピン５１が突設してあって、各受動ピン５１はカム４の軸部４１に軸線方向に沿って穿設された少くも１つの長孔４６を各別に貫通させてあり、その先端部は後述の作動部材８に可動な状態で係合させてある。
【００１９】
前記の受動ピン５１と長孔４６の各組はクラッチ片５の長さ方向（軸線方向）の移動の範囲を制限するストッパの役割も果たす。
【００２０】
図示例の３本の受動ピン５１はそれらと対応する後述の作動部材８における作動部８４の形状や位置の関係で適当な角度を隔ててクラッチ片５に植設されている。
【００２１】
また、前記クラッチ片５の長さ方向の内端側には例えば円柱形をなすばね受け孔５２が形成してあり、また、クラッチ５の外端側にはサムターンの角軸その他の非円形軸６が嵌め外しできるようにした角孔その他の非円形の嵌め孔５３が形成してある。
【００２２】
そして、クラッチ片５のばね受け孔５２とカム４の連係孔４３内に固設したばね止めピン４７との間には付勢手段としての圧縮コイルばね７が装着してあり、この圧縮コイルばねの弾力によりクラッチ片５は結合位置に向け（図３で左方に向け）付勢されている。
【００２３】
図３に明示する常態（本発明の防犯装置の非作動状態）においては、該クラッチ片５は左方の結合位置にあってカム４の軸部４１とサムターン軸６とを回動方向に関し一体的に連結させている。
【００２４】
一方、前記のクラッチ片５を結合位置と非結合位置の間で移動変位させるための作動部材８は、錠箱１内で例えば符号８５で示す適当な案内手段等により案内されて水平方向（前後方向）に摺動変位できるように設けてある。
【００２５】
その作動部材８は、図１、図４及び図５に示すように、例えば１枚の板材を折り曲げて横長に形成してあり、一端側（前端側）にはフロント板１１に設けた開口部分１４を常態において封ずることができるように箱形に折り曲げた頭部８１を有し、他端側には呼び付けボルトを貫通させるため錠箱１に固定させたスリーブ９及びカム４の軸部５１を逃がすためにＵ字状に形成した脚部８２、８２を有する。
【００２６】
図示の作動部材８において、符号８３は操作する人が指を差し込むための操作穴を示し、また、符号８４は、上記受動ピン５１を介してクラッチ片５を変位させるために、各脚部８２の長さ方向の中央部を内向きの山形に折り曲げて形成した作動部を示している。
【００２７】
作動部材８の案内手段を更に具体的に述べれば、図示例においては、作動部材８に設けた案内長孔と錠箱１に固設したピンの組から成る案内手段８５並びに作動部材８の対を成す脚部８２、８２の内側辺をカム４の胴部（軸部）４１に摺接させた案内手段が用いられているが、他の周知の案内手段を用いてもよいことは言うまでもない。
【００２８】
また、図示の作動部材８では、その頭部８１に設けた操作穴８３に指を差し込んで該作動部材８を直接操作するようにしてあるが、フロント板１１の開口部分１４に切換スイッチ又は押釦等を設け、その操作部片に作動部材８を連係させるなどして該操作部材８を間接的に操作するようにしてもよい。
【００２９】
次に、この発明に係る防犯装置の作用を図示例に基いて説明する。
図１及び図３はいずれも本装置の非作動状態である常態を示しており、作動部材８は前方の位置にあり、また、クラッチ片５は付勢手段７で押されて結合位置（図３で左方の位置）を占めている。
【００３０】
従って、クラッチ片５の室内側の端部は非円形の嵌め孔５３をもって非円形のサムターン軸６に嵌め合わされているので、カム４の軸部４１及びサムターン軸６は回転方向に関しては一体的に結合されており、この状態では、従来の本締り錠と同様施解錠はサムターン及びシリンダ錠に差し込んだ鍵のいずれによっても行うことができる。
【００３１】
本発明に係る防犯装置を作動状態にするためには、図５に示すように、扉１０を開放させた上でフロント板１１の開口部分１４を通じて作動部材８の前端部に指を掛け該作動部材８を矢印Ａのように押し込む。
【００３２】
この際、作動部材８の山形をなす作動部８４が、図７に示すように、作動ピン５１の少くも１本に摺接して、その作動ピン５１をそれが固設されたクラッチ片５と共に図７で右方の非結合位置に付勢手段７の付勢力に抗して押し込むので、クラッチ片５の嵌め孔５３とサムターン軸６との結合状態（嵌まり合い）が解除される。
【００３３】
この作動状態では、サムターン軸６とカム４の軸部４１との間の連結状態が断たれるので、室内側のサムターンを手で回してもそれが空回りすることになり、サムターンによる施解錠は不能となる。
【００３４】
しかしながら、居住者等は外出に際し室外側のシリンダ錠に差し込んだ鍵でカム４を所定角度（例えば９０°）回動させることにより施錠することができ（図６参照）、また、帰宅時には同様にして解錠できることは勿論である。
【００３５】
なお、この作動状態では、図５に示すように、時計盤面に換算して１２時と６時の角度位置にある受動ピン５１、５１が先ず作動部材の作動部８４に乗り上がる。
【００３６】
この状態でシリンダ錠に差込んだ鍵でカム４を９０゜回動させると、図６に示すように、これらの受動ピン５１、５１は作動部材８との係合から外れてしまい、通常ならば付勢手段７の弾力によってクラッチ片５は図３に示すサムターン軸６との結合位置に戻ってしまう。
【００３７】
しかしながら、図示の実施例では、図５に示すように時計盤面に換算して４時半の角度位置にもう１本受動ピン５１が植設されており、カム４を９０゜回動させたときにこの受動ピン５１が作動部材の作動部８４に乗り上がるので、作動状態は保たれる。
【００３８】
この余分の受動ピン５１は、カム４の特定の作動角度に応じて付設されたもので、カム４の作動角度が例えば４５゜の錠機構では必要ではないことは明らかで、本発明の必須の構成要素ではない。
【００３９】
一方、居住者等が外出中、窃盗等を目的とする者が、扉自体又は扉の近傍に設けた窓ガラスを割ってその穴から手を差し込んでサムターンを回動しようとしても、サムターン軸６は前述の通り空回りするだけなので、サムターンによる不正解錠は不能である。
【００４０】
なお、居住者等が外出から戻り、この防犯装置を非作動状態である常態に戻すには、扉１０を開放させた状態において後方位置に押し込んだ作動部材８をフロント板１１の開口部分１４を通じて前方位置に引き出せば良い。
【００４１】
その際、非結合状態を占めていたクラッチ片５は付勢手段５の付勢力により当初の結合位置に復帰することになり、カム４の軸部４１及びサムターン軸６は回転方向に関しクラッチ片５を介して再び一体的に連結されることになる（図１及び図３参照）。
【００４２】
【発明の効果】
以上に説明したこの発明に係る本締り錠における防犯装置によれば、扉自体又はその近傍に設けられた窓ガラスを破って、そこから手を差し込んでサムターンを回動操作しようとしても、居住者等は外出に際しサムターン軸をカムに対し空転させるようにすることができるので、サムターンによる不正解錠を防止するに極めて有効である。
【００４３】
また、この発明の防犯装置の作動状態は扉を開放させない限り解除することができないので、防犯上高度の安全性が保てるという効果を奏する。
【図面の簡単な説明】
【図１】この発明の本締り錠における防犯装置の実施例を非作動状態で示す図で、（Ａ）は正面図、（Ｂ）は部分縦断側面図である。
【図２】図1の実施例から取り外したカム、クラッチ片及び内蔵された圧縮コイルばねの組立体を示す側面図。
【図３】図１（Ｂ）のＩＩＩ−ＩＩＩ線による横断部分背面図。
【図４】図１の実施例から取り外した作動部材を示す図で、（Ａ）は側面図、（Ｂ）は平面図である。
【図５】図１の実施例を作動状態とし、かつ解錠状態で示す部分縦断側面図である。
【図６】図１の実施例を作動状態とし、かつ施錠状態で示す部分縦断側面図である。
【図７】図５及び図６のＶＩＩ−ＶＩＩ線による共通の横断部分背面図である。
【符号の説明】
１０  扉
１  錠箱
１１  フロント板
１４  開口部分
３  デッドボルト
４  カム
４１  軸部
５  クラッチ片
６  サムターン軸
７  付勢手段
８  作動部材
【図１】
0004150766.tif 000002
【図２】
0004150766.tif 000003
【図３】
0004150766.tif 000004
【図４】
0004150766.tif 000005
【図５】
0004150766.tif 000006
【図６】
0004150766.tif 000007
【図７】
0004150766.tif 000008